(57)【特許請求の範囲】
【請求項１】
吊持部材により吊持された２枚以上の扉体を昇降させることで開口部を開閉する扉装置において、
前記２枚以上の扉体は、第１扉体と第２扉体を含み、第１扉体と第２扉体は開口部上方の収納部内で平行状に収納された全開位置と、第１扉体が上側に、第２扉体が下側に位置して開口部を全閉する全閉位置との間で昇降し、
第１扉体の幅方向両端側の上部に左右の第１動滑車を設け、第１動滑車に上側から巻き掛けた第１吊持部材の一側部位の下端を躯体に固定し、第１吊持部材の他側部位の下端を第２扉体に固定することで、前記第１扉体の昇降に連動して前記第２扉体が昇降するように構成されており、
前記第１動滑車は第１扉体の幅方向に対して直交するように配置されていると共に、巻き掛け面が平面視において第２扉体の厚さの中心にまで達しており、
前記第２扉体の幅方向両端側において、平面視で第１動滑車に対応する位置には、前記第１吊持部材の他側部位を上下に案内するように当該第２扉体の高さに亘って延びる案内空間が形成されており、前記第２扉体には前記案内空間内において前記第１吊持部材の他側部位の下端の固定部が設けてあり、前記第１吊持部材の他側部位の下端は、前記案内空間内に位置して第２扉体の前記固定部に固定されており、前記案内空間は、前記第２扉体の厚さの中心を含む空間を占めており、前記第１吊持部材の他側部位が、第２扉体の厚さの略中心に位置して垂下した状態で、第２扉体が昇降するように構成されている、扉装置。
【請求項２】
前記扉装置は、さらに第３扉体を有し、全開位置では、第３扉体は開口部上方の収納部内で第１扉体及び第２扉体と平行状に収納され、全閉位置では、第３扉体は第２扉体の下側に位置して開口部を閉鎖し、
第２扉体の幅方向両端側の上部に左右の第２動滑車を設け、第２動滑車に上側から巻き掛けた第２吊持部材の一側部位の下端を第１扉体に固定し、第２吊持部材の他側部位の下端を第３扉体に固定することで、前記第２扉体の昇降に連動して前記第３扉体が昇降するように構成されており、
前記第２動滑車は、前記第１動滑車に対して見付方向に異なる位置で第２扉体の幅方向に直交するように配置されていると共に、巻き掛け面は平面視において第１扉体の厚さの中心及び第３扉体の厚さの中心にまで達しており、
前記第３扉体の幅方向両端側において、平面視で第２動滑車に対応する位置には、前記第２吊持部材の他側部位を上下に案内するように当該第３扉体の高さに亘って延びる案内空間が形成されており、前記第３扉体には前記第３扉体の案内空間内において前記第２吊持部材の他側部位の下端の固定部が設けてあり、前記第２吊持部材の他側部位の下端は、前記第３扉体の案内空間内に位置して第３扉体の前記固定部に固定されており、前記第３扉体の案内空間は、前記第３扉体の厚さの中心を含む空間を占めており、前記第２吊持部材の他側部位が、第３扉体の厚さの略中心に位置して垂下した状態となり、前記第１扉体の幅方向両端側において、平面視で第２動滑車に対応する位置には、前記第２吊持部材の一側部位を上下に案内するように当該第１扉体の高さに亘って延びる案内空間が形成されており、前記第１扉体には前記第１扉体の案内空間内において前記第２吊持部材の一側部位の下端の固定部が設けてあり、前記第２吊持部材の一側部位の下端は、前記第１扉体の案内空間内に位置して第１扉体の前記固定部に固定されており、前記第１扉体の案内空間は、前記第１扉体の厚さの中心を含む空間を占めており、前記第２吊持部材の一側部位が、第１扉体の厚さの略中心に位置して垂下した状態で、第３扉体が昇降するように構成されている、請求項１に記載の扉装置。
【請求項３】
前記第２吊持部材の他側部位の下端は、前記第３扉体の案内空間内に位置して第３扉体の高さ寸法の中間部位の固定部に固定されており、
前記第１吊持部材の他側部位の下端は、前記第２扉体の案内空間内に位置して第２扉体の高さ方向の中間よりも上方部位の固定部に固定されている、
請求項２に記載の扉装置。
【発明の詳細な説明】
【技術分野】
【０００１】
本発明は、吊持部材により吊持された２枚以上の扉体を昇降させることで開口部を開閉する扉装置に関するものである。
【背景技術】
【０００２】
吊持部材により吊持された複数枚の扉体を電動昇降させることで開口部を開閉する扉装置が知られており、具体的な構成として、開口部全閉時において上側、下側にそれぞれ位置する２枚の扉体と、各扉体の幅方向両端部を受け入れて上下方向に案内するガイドレールと、各扉体を吊持する吊持手段と、吊持手段を介して扉体を昇降させる駆動手段と、を備えている。このような扉装置は、例えば、特許文献１に開示されている。
【０００３】
このような扉装置は、複数枚の扉体が並行して昇降するため、扉体の幅方向両端部を案内するガイドレールの見込み寸法が大きくなり、また、開口部上方の収納部も大きくなりがちである。したがって、複数枚の扉体をコンパクトに納めたいという要望がある。また、いかにスムーズに扉体を昇降させるかも重要となる。
【特許文献１】実用新案登録第３１３１６０２号
【発明の開示】
【発明が解決しようとする課題】
【０００４】
本発明は、コンパクトな納まりで、かつ、スムーズに昇降する複数枚の扉体を備えた扉装置を提供することを目的とする。
【課題を解決するための手段】
【０００５】
本発明が採用した技術手段は、
吊持部材により吊持された２枚以上の扉体を昇降させることで開口部を開閉する扉装置において、
前記２枚以上の扉体は、第１扉体と第２扉体を含み、第１扉体と第２扉体は開口部上方の収納部内で平行状に収納された全開位置と、第１扉体が上側に、第２扉体が下側に位置して開口部を全閉する全閉位置との間で昇降し、
第１扉体の幅方向両端側の上部に左右の第１動滑車を設け、第１動滑車に上側から巻き掛けた第１吊持部材の一側部位の下端を躯体に固定し、第１吊持部材の他側部位の下端を第２扉体に固定することで、前記第１扉体の昇降に連動して前記第２扉体が昇降するように構成されており、
前記第１動滑車は第１扉体の幅方向に対して直交するように配置されていると共に、巻き掛け面が平面視において第２扉体の厚さの中心にまで達しており、
前記第２扉体の幅方向両端側において、平面視で第１動滑車に対応する位置には、前記第１吊持部材の他側部位を上下に案内するように高さ方向に延びる案内空間が形成されており、前記第１吊持部材の他側部位の下端は、前記案内空間内に位置して第２扉体に連結されており、前記第１吊持部材の他側部位が、第２扉体の厚さの略中心に位置して垂下した状態で、第２扉体が昇降するように構成されている、扉装置、である。
【０００６】
１つの態様では、前記扉装置は、さらに第３扉体を有し、全開位置では、第３扉体は開口部上方の収納部内で第１扉体及び第２扉体と平行状に収納され、全閉位置では、第３扉体は第２扉体の下側に位置して開口部を閉鎖し、
第２扉体の幅方向両端側の上部に左右の第２動滑車を設け、第２動滑車に上側から巻き掛けた第２吊持部材の一側部位の下端を第１扉体に固定し、第２吊持部材の他側部位の下端を第３扉体に固定することで、前記第２扉体の昇降に連動して前記第３扉体が昇降するように構成されており、
前記第２動滑車は、前記第１動滑車に対して見付方向に異なる位置で第２扉体の幅方向に直交するように配置されていると共に、巻き掛け面は平面視において第１扉体の厚さの中心及び第３扉体の厚さの中心にまで達しており、
前記第３扉体の幅方向両端側において、平面視で第２動滑車に対応する位置には、前記第２吊持部材の他側部位を上下に案内するように高さ方向に延びる案内空間が形成されており、前記第２吊持部材の他側部位の下端は、前記第３扉体の案内空間内に位置して第３扉体に連結されており、前記第２吊持部材の他側部位が、第３扉体の厚さの略中心に位置して垂下した状態となり、前記第１扉体の幅方向両端側において、平面視で第２動滑車に対応する位置には、前記第２吊持部材の一側部位を上下に案内するように高さ方向に延びる案内空間が形成されており、前記第２吊持部材の一側部位の下端は、前記第１扉体の案内空間内に位置して第１扉体に連結されており、前記第２吊持部材の一側部位が、第１扉体の厚さの略中心に位置して垂下した状態で、第３扉体が昇降するように構成されている。
１つの態様では、前記第２吊持部材の他側部位の下端は、前記第３扉体の案内空間内に位置して第３扉体の高さ寸法の中間部位に連結されており、
前記第１吊持部材の他側部位の下端は、前記第２扉体の案内空間内に位置して第２扉体の高さ方向の中間よりも上方部位に連結されている。
前記第２吊持部材の他側部位の下端を第３扉体の高さ寸法の中間部位に連結することで、第３扉体を安定して昇降させることができる。
一方、第２扉体の上部に設けた第２動滑車には第３扉体の荷重が作用するため、前記第１吊持部材の他側部位の下端を第２扉体の高さ方向の中間よりも上方部位に連結して、当該連結部を第２扉体の上部に近づけることで、第２扉体を安定して昇降させることができる。
本発明に係る扉装置は、４枚以上の扉体を備えていても良い。
【０００７】
本明細書において、動滑車は広い意味で用いており、動滑車にはスプロケット、プーリが含まれる。吊持部材は、それが巻き掛けされる動滑車の種類に応じて、チェーン、ベルト（平ベルト、Ｖベルト）、ワイヤ、ロープ等から選択される。
１つの態様では、吊持部材を案内する前記案内空間は、凹溝である。
【発明の効果】
【０００８】
本発明では、動滑車を扉体の幅方向に対して直交するように配置し、その巻き掛け面が平面視において隣位の扉体の厚さの中心にまで達するようにし、かつ、前記隣位の扉体に案内空間（凹溝）を形成して、案内空間（凹溝）内で吊持部材を垂下させることで、平面視において、複数枚の扉体の幅方向の両端部同士を接近させることができ、扉体の納まりをコンパクトとすることができる。
【０００９】
本発明では、動滑車を扉体の幅方向に対して直交するように配置し、その巻き掛け面が平面視において隣位の扉体の厚さの中心にまで達するようにし、かつ、前記隣位の扉体に案内空間（凹溝）を形成して、案内空間（凹溝）内に吊持部材を位置させることで、当該隣位の扉体を吊持する吊持部材が当該隣位の扉体の厚さの略中心に位置して垂下することになり、扉体をスムーズに昇降させることができる。より具体的には、扉体を垂直方向に昇降させることで、昇降時に扉体が傾いたような場合に扉体の幅方向両端部の被ガイド部とガイドレールの底部のガイド部とが過度に接触するようなことを防止し、扉体のスムーズな開閉操作が可能となる。
【図面の簡単な説明】
【００１０】
【図１】扉装置の全体正面図である。
【図２】扉装置の全体正面図であり、内部機構を示している。
【図３】開口部全閉時の扉装置の側面図である。
【図４】開口部全開時の扉装置の側面図である。
【図５】第１扉体の平面図及び正面図である。
【図６】第２扉体の平面図及び正面図である。
【図７】第３扉体の平面図及び正面図である。
【図８】扉装置の横断面図であり、（Ａ）は上段部、（Ｂ）は中段部、（Ｃ）は下段部、を示している。
【図９】図８（Ａ）の部分拡大図である。
【図１０】図８（Ｂ）の部分拡大図である。
【発明を実施するための形態】
【００１１】
本発明の実施形態を図面に基づいて詳細に説明する。図１は、扉装置の全体正面図、図２は、扉装置の内部機構を示す全体正面図、図３は、開口部全閉時の扉装置の側面図、図４は、開口部全開時の扉装置の側面図である。扉装置は、３枚の第１扉体１、第２扉体２、第３扉体３を備えており、３枚の第１扉体１、第２扉体２、第３扉体３が昇降することによって、開口部を開閉するように構成されている。
【００１２】
開口部の幅方向左右両側には第１扉体１、第２扉体２、第３扉体３の幅方向両端部を受け入れて上下方向に案内するためのガイド体４が立設されている。開口部全閉時において、高さ方向に上から順に第１扉体１、第２扉体２、第３扉体３が位置するようになっており、第１扉体１が開口部の上方部位を、第２扉体２が開口部の中間部位を、第３扉体３が開口部の下方部位を、閉鎖するようになっている。開口部上方の上面５の上側には収納部５０が形成されており、開口部全開時には、第１扉体１、第２扉体２、第３扉体３が収納部５０内に互いに前後方向に平行状に収納されるようになっている。
【００１３】
扉装置は、第１扉体１を電動昇降駆動する手段と、第１扉体１の昇降に連動して第２扉体２を昇降させる手段と、第２扉体２の昇降に連動して第３扉体３を昇降させる手段と、を備え、第１扉体１の昇降に連動して第２扉体２が昇降し、第２扉体２の昇降に連動して第３扉体３が昇降するようになっている。各扉体１、２、３の構成及び昇降機構について、以下に詳細に説明する。
【００１４】
図５に示すように、第１扉体１は、内部側の面部１０と、外部側の面部１１と、上面１２と、下面１３と、を有する正面視横長のパネル部１´と、パネル部１´の幅方向左右端部に設けた側フレーム１４と、からなる。側フレーム１４の上端はパネル部１´の上面１２よりも上方に延びており、側フレーム１４の下端はパネル部１´の下面１３とほぼ同じ高さにある。側フレーム１４の上方部位には、パネル部１´の上面１２よりも高い位置において、スプロケット１５が固定されている。第１扉体１の幅方向左右の端部、すなわち、側フレーム１４の端部には、上下方向（第１扉体１の高さ方向）に垂直に延びる溝状の被ガイド部１６が形成されている。第１扉体１の幅方向の両端部は、被ガイド部１６を介して、後述するガイド突起４１に上下方向に案内される。
【００１５】
側フレーム１４は、第１扉体１の厚さ（見込方向の寸法）の中心よりも外部側に位置する面部を備え、当該面部の内部側には、見付方向（第１扉体１の幅方向）において、被ガイド部１６とスプロケット１５の間に位置して、上下方向（第１扉体１の高さ方向）に垂直に延びる凹溝１７０が形成されており、凹溝１７０内を後述するチェーン６２の一側部位６２Ａが通るようになっている。凹溝１７０内の下方部位に位置して、チェーン固定部１７が形成されており、チェーン６２の一側部位６２Ａの下端がチェーン固定部１７に連結される。平面視において、凹溝１７０の空間は、第１扉体１の厚さ（見込方向の寸法）の中心を含む空間を占めており、チェーン６２の一側部位６２Ａは、第１扉体１の厚さの中心を通って垂直状に延出する。パネル部１´の上面１２には、幅方向の左右端部側に位置して２つのスプロケット１８が固定されている。
【００１６】
図６に示すように、第２扉体２は、内部側の面部２０と、外部側の面部２１と、上面２２と、下面２３と、を有する正面視横長のパネル部２´と、パネル部２´の幅方向左右端部に設けた側フレーム２４と、からなる。側フレーム２４の上端はパネル部２´の上面よりも上方に延びており、側フレーム２４の下端はパネル部２´の下端とほぼ同じ高さにある。側フレーム２４の上方部位には、パネル部２´の上面よりも高い位置において、スプロケット２５が固定されている。第２扉体２の幅方向左右の端部、すなわち、側フレーム２４の端部には、上下方向に延びる溝状の被ガイド部２６が形成されている。第２扉体２の幅方向の両端部は、被ガイド部２６を介して、後述するガイド突起４２に上下方向に案内される。
【００１７】
側フレーム２４は、第２扉体２の厚さ（見込方向の寸法）の中心よりも外部側に位置する面部を備え、当該面部の内部側には、スプロケット２５よりもパネル部２´側（被ガイド部２６とは反対側）に位置して、上下方向（第２扉体２の高さ方向）に垂直に延びる凹溝２７０が形成されており、凹溝２７０内を後述するチェーン６１の他側部位６１Ｂが通るようになっている。凹溝２７０内の上方部位に位置して、チェーン固定部２７が形成されており、チェーン６１の他側部位６１Ｂの下端がチェーン固定部２７に連結される。平面視において、凹溝２７０の空間は、第２扉体２の厚さ（見込方向の寸法）の中心を含む空間を占めており、チェーン６１の一側部位６１Ｂは、第２扉体２の厚さの中心を通って垂直状に延出する。
【００１８】
図７に示すように、第３扉体３は、内部側の面部３０と、外部側の面部３１と、上面３２と、下面３３と、を有する正面視横長のパネル部３´と、パネル部３´の幅方向左右端部に設けた側フレーム３４と、からなる。側フレーム３４の上端はパネル部３´の上端とほぼ同じ高さにあり、側フレーム３４の下端はパネル部３´の下端とほぼ同じ高さにある。第３扉体３の幅方向左右の端部、すなわち、側フレーム３４の端部には、上下方向に延びる溝状の被ガイド部３６が形成されている。第３扉体３の幅方向の両端部は、被ガイド部３６を介して、後述するガイド突起４３に上下方向に案内される。
【００１９】
側フレーム３４は、第３扉体３の厚さ（見込方向の寸法）の中心よりも外部側に位置する面部を備え、当該面部の内部側には、上下方向（第３扉体３の高さ方向）に垂直に延びる凹溝３７０が形成されており、凹溝３７０内を後述するチェーン６２の他側部位６２Ｂが通るようになっている。凹溝３７０内の高さ方向中間部位には、チェーン固定部３７が形成されており、チェーン６２の他側部位６２Ｂの下端がチェーン固定部３７に連結される。平面視において、凹溝３７０の空間は、第３扉体３の厚さ（見込方向の寸法）の中心を含む空間を占めており、チェーン６２の他側部位６２Ｂは、第３扉体３の厚さの中心を通って垂直状に延出する。
【００２０】
第１扉体１、第２扉体２、第３扉体３は、見込方向（室内外方向ないし前後方向）に互いにずれた位置で互いに平行して高さ方向に昇降するようになっている。図３に示すように、開口部全閉時には、第１扉体１の内部側の面部１０の下方部位が第２扉体２の外部側の面部２１の上方部位に重なるように対向しており、かつ、両者をあいじゃくり状に係止させることで気密性を向上させている。第２扉体２の内部側の面部２０の下方部位が第３扉体３の外部側の面部３１の上方部位に重なるように対向しており、かつ、両者をあいじゃくり状に係止させることで気密性を向上させている。開口部全閉時では、第１扉体１の上方部位は上面５よりも上方に位置している。
【００２１】
図４に示すように、開口部全開時には、第１扉体１の内部側の面部１０が第２扉体２の外部側の面部２１に対向しており、第２扉体２の内部側の面部２０が第３扉体３の外部側の面部３１に対向している。図４から明らかなように、図示の態様では、各扉体の高さ寸法は、第１扉体１の高さ寸法が最も大きく、次いで、第２扉体２の高さ寸法が大きく、第３扉体３の高さ寸法は最も小さくなっている。
【００２２】
ガイド体４の底部４０は、開口部上方の収納部５０内にまで延出しており、底部４０には、見込方向に間隔を存して３つのガイド突起（ガイド部）４１、４２、４３が突設されている。１つの態様では、ガイド突起は高さ方向に延びる長尺部材であるが、複数の短尺状の部材を高さ方向に設けたものでもよい。第１扉体１の被ガイド部１６は、ガイド突起４１に案内されて上下方向に移動し、第２扉体２の被ガイド部２６は、ガイド突起４２に案内されて上下方向に移動し、第３扉体３の被ガイド部３６は、ガイド突起４３に案内されて上下方向に移動する。ガイド突起４１、４２、４３は、それぞれ、底部４０の高さ方向において、少なくとも第１扉体１、第２扉体２、第３扉体３の幅方向両端部の移動経路に設けてあればよい。第１扉体１、第２扉体２、第３扉体３の幅方向両端部の見込方向の動き（前後方向の振れ）を、それぞれガイド突起４１、４２、４３によって規制することで、第１扉体１、第２扉体２、第３扉体３を互いに接近させた状態で昇降移動させることができる。
【００２３】
図９、図１０に示すように、被ガイド部１６、２６、３６は、それぞれ、ボルトＢを介して側フレーム１４、２４、３４の端部に取り外し可能に設けてあり、ボルトＢは正面（図示の態様では、内部側）から取り外し可能である。したがって、ボルトＢを外して、扉体１、２、３の幅方向端部と被ガイド部１６、２６、３６を分離することで、扉体１、２、３を正面から取り外すことが可能である。第１扉体１、第２扉体２、第３扉体３の昇降時に、第１扉体１、第２扉体２、第３扉体３の幅方向両端部を上下方向に案内する機構は、図示の態様に限定されるものではなく、例えば、第１扉体１、第２扉体２、第３扉体３の幅方向両端部に夫々ガイドローラ（被ガイド部）を設け、各ガイドローラが、ガイド部４の底部４０に上下方向に延びる３本のガイドレール（ガイド部）に案内されるようにしてもよい。
【００２４】
第１扉体１は、図２に示すように、パネル部１´の上面１２に設けた２つのスプロケット１８に下側から巻き掛けしたチェーン６０によって吊持されており、開閉機７によってチェーン６０を巻き取り、あるいは、繰り出すことで、第１扉体１を上下動させるようになっている。
【００２５】
より具体的には、開口部上方の収納部５０において、一方のガイド体４の上方に位置して開閉機７が設けてあり、チェーン６０の一端側（６０Ａ）は、開閉機７に巻回されており、下端にはカウンターウェイト８が連結されている。ウェイト８は、扉体の端部のガイド手段（溝状の被ガイド部とガイド突起）と類似のガイド手段８０によって案内されながら昇降するようになっている。一方のスプロケット１８の上方には、開閉機７と略同じ高さに位置してスプロケット１９が設けてあり、開閉機７から延出するチェーン６０（６０Ｂ）は、スプロケット１９に巻回されて下方に延出し（６０Ｃ）、一方のスプロケット１８に巻回されて他方のスプロケット１８までに水平状に延出し（６０Ｄ）、他方のスプロケット１８に巻回されて上方に延出して（６０Ｅ）、収納部５０の上方部位に固定されている。開閉機７によりチェーン６０を引くことで、第１扉体１を上昇させ、開閉機７によりチェーン６０を繰り出すことで、第１扉体１を下降させる。開閉機、チェーンやスプロケット、ワイヤやプーリを用いてどのように扉体１を昇降させるかについては、図示の態様以外にも様々な態様が取り得ることが当業者に理解される。
【００２６】
第２扉体２は、第１扉体１の幅方向端部の上方に設けたスプロケット１５に上側から巻き掛けされるチェーン６１によって第１扉体１から吊持されており、第１扉体１の昇降に連動して第２扉体２が、スプロケット１５、チェーン６１を介して、昇降するようになっている。図９に示すように、スプロケット１５は、第１扉体１の幅方向に直交する方向（第１扉体１の見込方向）に配向されており、スプロケット１５の軸部は第１扉体１の厚さ（見込方向の寸法）の中心に位置して第１扉体１の幅方向に延出している。平面視において、スプロケット１５の巻き掛け面は、第２扉体２の厚さ（見込方向の寸法）の中心にまで延びている。
【００２７】
第１扉体１に設けたスプロケット１５に巻回されたチェーン６１の一側部位６１Ａは、ガイド体４内において、第１扉体１の面部１１側の外部側の空間４４を垂下しており、下端が開口部上方のフレーム９に固定されている。チェーン６１の他側部位６１Ｂは、凹溝２７０を通って、第１扉体１の面部１０側で垂下しており、下端が第２扉体２のチェーン固定部２７に固定されている。
【００２８】
第１扉体１が上昇すると、第１扉体１の上昇に連動して、スプロケット１５が上昇し、チェーン６１の一側部位６１Ａの下端の高さが固定された状態（フレーム９に固定されている）でスプロケット１５が上昇することで、チェーン６１の一側部位６１Ａの長さが延びて、チェーン固定部２７に連結されたチェーン６１の他側部位６１Ｂの下端が上昇し、第２扉体２が上昇する。第１扉体１が下降すると、第１扉体１の下降に連動して、スプロケット１５が下降し、チェーン６１の一側部位６１Ａの下端の高さが固定された状態でスプロケット１５が下降することで、チェーン６１の一側部位６１Ａの長さが短くなって、チェーン固定部２７に連結されたチェーン６１の他側部位６１Ｂの下端が下降し、第２扉体２が下降する。スプロケット１５が動滑車として昇降することで、第２扉体２が第１扉体１に比べて２倍の速度で上下動する。
【００２９】
第３扉体３は、第２扉体２の幅方向の両端部の上端に設けたスプロケット２５に上側から巻き掛けされるチェーン６２によって第２扉体２から吊持されており、第２扉体２の昇降に連動して第３扉体３が昇降するようになっている。図９、図１０に示すように、スプロケット２５は、第２扉体２の幅方向に直交する方向（第２扉体２の見込方向）に配向されており、スプロケット２５の軸部は第２扉体２の厚さ方向（見込方向）の中心に位置して第２扉体２の幅方向に延出している。平面視において、スプロケット２５の巻き掛け面は、室内外方向（前後方向）において隣位の扉体、すなわち、第１扉体１、第３扉体３の厚さ方向（見込方向）の中心にまで延びている。
【００３０】
第２扉体２に設けたスプロケット２５に巻回されたチェーン６２の一側部位６２Ａは、第２扉体２の面部２１側で第１扉体１の凹溝１７０内を通って垂下しており、下端が第１扉体１のチェーン固定部１７に固定されている。チェーン６２の他側部位６２Ｂは、第２扉体２の面部２０側で第３扉体３の凹溝３７０を通って垂下しており、下端が第３扉体３のチェーン固定部３７に固定されている。
【００３１】
第２扉体２が上昇すると、第２扉体２の上昇に連動して、スプロケット２５が上昇し、第１扉体１のチェーン固定部１７に固定されているチェーン６２の一側部位６２Ａの下端も上昇するが、第２扉体２は第１扉体１よりも高速で上昇するため、チェーン６２の一側部位６２Ａの長さが延びて、チェーン固定部３７に連結されたチェーン６２の他側部位６２Ｂの下端が上昇し、第３扉体３が上昇する。第２扉体２が下降すると、第２扉体２の下降に連動して、スプロケット２５が下降し、第１扉体１のチェーン固定部１７に固定されているチェーン６２の一側部位６２Ａの下端も下降するが、第２扉体２は第１扉体１よりも高速で下降するため、チェーン６２の一側部位６２Ａの長さが短くなって、チェーン固定部３７に連結されたチェーン６２の他端が下降し、第３扉体３が下降する。スプロケット２５が動滑車として昇降することで、第３扉体３が第２扉体２に比べて１．５倍の速度で上下動する。すなわち、第１扉体１が低速パネル、第２扉体２が中速パネル、第３扉体３が高速パネル、となっている。
【００３２】
図９に示すように、平面視において、第１扉体１、第２扉体２、第３扉体３は、見込方向に互いに接近した位置で垂直方向に昇降するようになっている。第１扉体１、第２扉体２、第３扉体３の見込方向の位置関係は、第１扉体１、第２扉体２、第３扉体３の幅方向両端部の被ガイド部１６、２６、３６がガイド突起４１、４２、４３に案内されることで決定される。
【００３３】
第１扉体１に設けたスプロケット１５と第２扉体２に設けたスプロケット２５は、開口幅方向（第１扉体１、第２扉体２の幅方向）において、異なる位置に配置されており、第１扉体１、第２扉体２、第３扉体３が見込方向に接近して昇降するものでありながら、スプロケット１５とスプロケット２５が干渉することがないようになっている。図示の態様では、スプロケット２５はスプロケット１５よりもガイド体４の底部４０側に位置しているが、その逆でもよい。後者の場合、開口幅方向（第１扉体１、第２扉体２、第１扉体３の幅方向）において、凹溝１７０、２７０、３７０の位置も変更されることが当業者に理解される。
【００３４】
開口幅方向（第１扉体１、第２扉体２、第１扉体３の幅方向）において、凹溝１７０、２７０、３７０の位置は、隣位の扉体間で異ならしめてあり、かつ、隣の扉体のスプロケット１５、スプロケット２５の位置に合わせてある。具体的には、図９に示すように、第１扉体１の凹溝１７０の位置は、第２扉体２のスプロケット２５の位置に対応しており、第２扉体２の凹溝２７０の位置は、第１扉体１のスプロケット１５の位置に対応しており、第３扉体３の凹溝３７０の位置は、第２扉体２のスプロケット２５の位置に対応している。
【００３５】
第１扉体１、第２扉体２、第３扉体３の幅方向の左右両端部側の部位、すなわち、ガイド体４に受け入れられた部位（図示の態様では側フレーム１４、２４、３４）を上記のように構成することで、第１扉体１、第２扉体２、第３扉体３を互いに接近させてコンパクトに納めることができる。第１扉体１、第２扉体２、第３扉体３を互いに接近させてコンパクトに納めることで、ガイド体４のサイズもコンパクトにすることができる。
【００３６】
第１扉体１のスプロケット１５の巻き掛け面を、平面視において、第２扉体２の凹溝２７０内で第２扉体２の厚さの中心に位置させることで、スプロケット１５に巻き掛けたチェーン６１の他側部位６１Ｂが第２扉体２の厚さの中心で垂下し、第１扉体１の昇降に連動して第２扉体２がスムーズに昇降する。第２扉体２のスプロケット２５の巻き掛け面を、平面視において、第１扉体１の凹溝１７０内で第１扉体１の厚さの中心に位置させることで、スプロケット２５に巻き掛けたチェーン６２の一側部位６２Ａが第２扉体１の厚さの中心で垂下し、平面視において、第３扉体３の凹溝３７０内で第３扉体３の厚さの中心に位置させることで、スプロケット２５に巻き掛けたチェーン６２の他側部位６２Ｂが第３扉体３の厚さの中心で垂下し、第１扉体１、第２扉体２の昇降に連動して第３扉体３がスムーズに昇降する。
【００３７】
第１扉体１、第２扉体２、第３扉体３のパネル部１´、２´、３´を、ＰＯＭ樹脂（ポリアセタール）から形成することで、加圧、防犯に対する耐性を向上させてある。また、図４に示すように、ガイド体４の開口溝の外部側の縦縁は、全閉時の第１扉体１、第２扉体２、第３扉体３の位置に合わせて、第１縦縁４５、第２縦縁４６、第３縦縁４７から段部状に形成されている。第１縦縁４５、第２縦縁４６、第３縦縁４７の先端部位は高分子ポリエチレン樹脂で被覆されており、第１扉体１（側フレーム１４）、第２扉体２（側フレーム２４）、第３扉体３（側フレーム３４）との接触時の粉塵及び摩擦音の発生を低減し、かつ水密性能も向上させている。ガイド突起４１、４２、４３の先端部位は高分子ポリエチレン樹脂で被覆されており、溝状の被ガイド部１６、２６、３６との接触時の粉塵及び摩擦音の発生を低減し、かつ水密性能も向上させている。
【産業上の利用可能性】
【００３８】
本発明は、複数枚の扉体が高速で昇降することで開口部を開閉する扉装置に用いることができる。
【符号の説明】
【００３９】
１  第１扉体
１５  スプロケット
１７  チェーン固定部
２  第２扉体
２５  スプロケット
２７  チェーン固定部
３  第３扉体
３７  チェーン固定部
７  開閉機
６０  チェーン
６１  チェーン
６２  チェーン
【図１】
0005486264.tif 000002
【図２】
0005486264.tif 000003
【図３】
0005486264.tif 000004
【図４】
0005486264.tif 000005
【図５】
0005486264.tif 000006
【図６】
0005486264.tif 000007
【図７】
0005486264.tif 000008
【図８】
0005486264.tif 000009
【図９】
0005486264.tif 000010
【図１０】
0005486264.tif 000011